(57)【特許請求の範囲】
【請求項１】
吸水性高分子粉末を収容した蓄尿部と、該蓄尿部から外方に突出した導尿部とを備え、
前記導尿部は軟質合成樹脂フィルムからなる扁平な筒状をなし、外周面には保形用略筒状体が付設されており、
前記保形用略筒状体は扁平状に折り畳まれており、一方向に圧力をかけると拡径し、
前記導尿部の蓄尿部内部に位置する部分が逆止弁として機能すること、
を特徴とする携帯尿袋。
【請求項２】
前記保形用略筒状体には、所定の形状に折り畳み、かつ、拡径するための折れ目が形成されていることを特徴とする請求項１記載の携帯尿袋。
【請求項３】
前記蓄尿部と導尿部とは軟質合成樹脂フィルムにてそれぞれ別体に形成され、
前記導尿部は前記蓄尿部の表フィルム及び裏フィルムの間に溶着されていること、
を特徴とする請求項１又は請求項２記載の携帯尿袋。
【請求項４】
前記吸水性高分子粉末は、水溶性の袋に封入された状態でまたは粉末状のままで前記蓄尿部に収容されていることを特徴とする請求項１、請求項２又は請求項３記載の携帯尿袋。
【発明の詳細な説明】
【０００１】
【発明の属する技術分野】
本発明は、携帯尿袋、特に、車内や野外などで小用を足すための携帯尿袋に関する。
【０００２】
【従来の技術と課題】
従来、携帯用の尿容器あるいは尿袋として、例えば、実開平６−７５４６７号公報に記載されているように、漏斗状の受け口を導入管を介して密閉袋に連通させ、密閉袋の肩部に吊り下げ用紐状物を備えたものが知られている。この尿容器は片手で使用できる利点を強調したものであるが、受け口が発泡性の樹脂シートで漏斗状に形成されているため、嵩張ることになり、折り畳んで携帯できるような利便性に欠けていた。
【０００３】
一方、図１５に示すように、両側辺及び下辺の３辺を溶着した軟質樹脂フィルムからなる蓄尿部１の上部開口部２に発泡性の樹脂シートからなる受け部５を取り付け、かつ、開口部２に開閉自在なファスナー３を設けた携帯尿袋が市販されている。
【０００４】
この携帯尿袋は扁平に折り畳むことができる利便性を有するものの、受け部５が大きく口を開けているため、使用時に受け部５を両手で支える必要があり、これでは放尿姿勢に無理が生じ、場合によっては排尿局部が受け部５から外れたり、蓄尿部１が途中で折れ曲がって尿が外に漏れたりし、周囲を汚損するおそれがあった。
【０００５】
また、受け部５が大きく開口しているため、吸水性高分子粉末を粉末状のままで蓄尿部１に収容すると、吸水性高分子粉末が外部に飛散するという問題点を有している。そのため、吸水性高分子粉末は水溶性の袋に封入した状態で蓄尿部１に収容する必要があり、これではコストが高価についてしまう。
【０００６】
そこで、本発明の第１の目的は、片手で操作できて使い勝手が良好で、吸水性高分子粉末が外部に飛散するおそれのない携帯尿袋を提供することにある。
本発明の第２の目的は、前記第１の目的に加えて、扁平に折り畳んで携帯に便利な携帯尿袋を提供することにある。
【０００７】
【発明の構成、作用及び効果】
以上の目的を達成するため、本発明に係る携帯尿袋は、吸水性高分子粉末を収容した蓄尿部と、該蓄尿部から外方に突出した導尿部とを備え、該導尿部は軟質合成樹脂フィルムからなる扁平な筒状をなし、外周面には保形用略筒状体が付設されており、該保形用略筒状体は扁平状に折り畳まれており、一方向に圧力をかけると拡径し、前記導尿部の蓄尿部内部に位置する部分が逆止弁として機能することを特徴とする。
【０００８】
以上の構成からなる携帯尿袋において、保形用略筒状体は指で一方向に圧力をかけると拡径し、これに伴って導尿部も拡径するため、男性の排尿局部を容易に導尿部に差し入れて無理な姿勢をとることなく排尿することができ、かつ、略筒状体の開口部を比較的大きく形成しておけば、女性の排尿局部を覆うことができる。即ち、片手で導尿部を保持した状態で使用することができ、男女ともに排尿に無理な姿勢をとる必要がなくなる。そして、蓄尿部が途中で折れ曲がっても残りの片手で折れを直したりすることができ、尿が外に漏れることもなく、周囲を汚損することはない。また、導尿部の蓄尿部内部に位置する部分が逆止弁として機能するため、蓄尿部に収容されている吸水性高分子粉末が導尿部から外部に飛散することが防止される。そのため、吸水性高分子粉末を水溶性の袋に封入することなく、粉末状のままで蓄尿部に収容することができ、製造コストが大きく低減する。
【０００９】
本発明に係る携帯尿袋において、保形用略筒状体には、所定の形状に折り畳み、かつ、拡径するための折れ目が形成されていることが好ましい。使用時に拡径する操作及び使用後に折り畳む操作が良好になり、かつ、容易に所定の拡径状態を保つことができる。
【００１０】
また、蓄尿部と導尿部とは軟質合成樹脂フィルムにてそれぞれ別体に形成することができる。導尿部は蓄尿部の表フィルム及び裏フィルムの間に溶着されていてもよい。蓄尿部と導尿部とを軟質合成樹脂フィルムで形成すれば、尿袋全体を薄く折り畳むことができ、携帯に極めて便利である。
【００１３】
【発明の実施の形態】
以下、本発明に係る携帯尿袋の実施形態について、添付図面を参照して説明する。
【００１４】
（第１実施形態、図１〜４参照）
本発明の第１実施形態である携帯尿袋は、専ら男性用として構成したもので、図１に示すように、概略、蓄尿部１０と、導尿部２０と、保形用略筒状体３０とで構成されている。
【００１５】
蓄尿部１０は、熱溶着可能な比較的厚めの軟質合成樹脂フィルム１１からなり、表フィルム及び裏フィルムの４辺を熱溶着したもので、図１に斜線で示した部分が熱溶着部である。また、上部溶着部分１０ａには両端に小孔を形成したスリット１２が形成され、スリット１２の上部が指で摘みやすい把手部１３とされている。
【００１６】
導尿部２０は、熱溶着可能な比較的薄めの軟質合成樹脂フィルム２１からなる筒状体であり、扁平にした状態で前記蓄尿部１０の側辺上部に、蓄尿部１０の表フィルム及び裏フィルムの間に熱溶着されている。即ち、蓄尿部１０の表フィルム及び裏フィルムの内面とフィルム２１の外面とが溶着されている。但し、フィルム２１の内面は溶着しないように、図２に示すように、溶着阻害層２２が塗布されている。溶着阻害層２２は、例えば、耐熱性インクをフィルム２１の内面にグラビア印刷することで容易に行うことができる。
【００１７】
この導尿部２０は、約３／４の部分が蓄尿部１０から斜め上方に突出し、他の約１／４の部分が蓄尿部１０の内部に位置している。この内部部分２０ａは、導尿部２０が扁平な状態となってフィルム２１が密着しており、外部からの流体の通過は許容するが、内部からの流体の排出は阻止する、いわゆる逆止弁として機能する。但し、この逆止弁は確実な気密性を有するほどの性能ではなく、後述する粉末４０の外部への飛散を防止できる程度であれば充分である。
【００１８】
保形用略筒状体３０は、紙製の筒状体であり、導尿部２０の外部突出部分の外周面に貼着されている。詳しくは、図２（Ｂ）に示すような展開形状にカットされており、辺３０ａ，３０ａが導尿部２０の一辺２０ｂに臨むように貼着され、かつ、断面四角形となるように、折れ目３１が形成されている。本明細書において、折れ目とは、筒状体３０及び以下に説明する筒状体７０等を拡径化及び扁平化するための基準線となるものを意味し、例えば、細くて浅い溝部、ミシン目、断続的なスリットなどである。
【００１９】
この保形用略筒状体３０は、図３に示す矢印Ｘ方向に圧力をかけると扁平状に折り畳まれ、矢印Ｙ方向に圧力をかけると断面四角形状に拡径する。そして、前記導尿部２０の外部突出部分も保形用略筒状体３０の変形に合わせて扁平状態及び拡径状態に変形する。
【００２０】
一方、前記蓄尿部１０内には吸水性高分子粉末４０が粉末状のままで収容されている。吸水性高分子粉末とは、吸水してゲル状化する周知の高分子物質であり、主に、デンプン系（デンプン・アクリル酸グラフト重合体部分ナトリウム塩）やアクリル酸塩系（アクリル酸重合体部分ナトリウム塩架橋物）が使用可能である。
【００２１】
以上の構成からなる携帯尿袋は、図１に示した状態に折り畳まれ、さらに、導尿部２０及び保形用略筒状体３０も蓄尿部１０上にコンパクトに折り重ねた状態で、例えば、ドライブやハイキング、高所作業現場などに携帯される。
【００２２】
そして、尿意を催した場合、車中であっても、保形用略筒状体３０を拡径して男性の排尿局部を挿入すれば、排尿局部が保形用略筒状体３０から外れることなく用を足すことができる。このように、筒状体３０を片手で保持するだけで、筒状体３０及び導尿部２０を所定の拡径状態に保つことができ、無理な姿勢をとる必要がない。しかも、残りの片手が空いているために蓄尿部１０が途中で折れ曲がったりすることを直すことができ、尿が外部に漏れることはない。また、蓄尿部１０の把手部１３を指で摘めば蓄尿部１０をより安定した状態で保持できる。
【００２３】
さらに、導尿部２０の内部部分２０ａはフィルム２１が密着した状態で逆止弁として機能するため、吸水性高分子粉末４０が粉末状のままであっても導尿部２０から外部に飛散することはない。勿論、排出された尿は自重で内部部分２０ａを押し広げて通過する。
【００２４】
また、使用後にあっては、図４に示すように、導尿部２０及び保形用略筒状体３０を蓄尿部１０上に折り畳んで端部角部をスリット１２に挿入しておけば、取り扱いに便利である。
【００２５】
（第２実施形態、図５〜８参照）
本発明の第２実施形態である携帯尿袋は、専ら女性用として構成したもので、図５に示すように、概略、蓄尿部５０と、導尿部６０と、保形用略筒状体７０とで構成され、蓄尿部５０内には吸水性高分子粉末４０が粉末状のままで収容されている。
【００２６】
蓄尿部５０は前記第１実施形態として示した蓄尿部１０と基本的に同様のものであり、表裏のフィルムが図５に斜線を付して示すように４辺で熱溶着されている。導尿部６０及び保形用略筒状体７０も第１実施形態として示した導尿部２０及び略筒状体３０と基本的には同様のものであるが、それぞれの角部が大きく切り欠かれて開口部６５が形成されている。
【００２７】
導尿部６０の形状は図７（Ｂ），（Ｃ）に示すとおりであり、蓄尿部５０との溶着時にそのフィルムの内面が溶着しないように溶着阻害層６２が塗布されている。また、蓄尿部５０の内部に位置する導尿部６０の内部部分６０ａは前記第１実施形態の内部部分２０ａと同様に逆止弁として機能する。
【００２８】
保形用略筒状体７０は、紙製の筒状体であり、導尿部６０の外部突出部分の外周面に貼着されている。詳しくは、図８（Ａ）に示すような展開形状にカットされており、辺７０ａ，７０ａが導尿部６０の一辺６０ｂに臨むように貼着され、かつ、断面四角形となるように、折れ目７１が形成されている。
【００２９】
この保形用略筒状体７０は、図６に示す矢印Ｘ方向に圧力をかけると扁平状に折り畳まれ、矢印Ｙ方向に圧力をかけると断面四角形状に拡径する。そして、前記導尿部６０の外部突出部分も保形用略筒状体７０の変形に合わせて扁平状態及び拡径状態に変形する。
【００３０】
以上の構成からなる携帯尿袋は、図５に示した状態に折り畳まれ、さらに、導尿部６０及び保形用略筒状体７０も蓄尿部５０上にコンパクトに折り重ねた状態で携帯される。そして、尿意を催した場合、車中であっても、保形用略筒状体７０を拡径して導尿部６０の開口部６５を女性の排尿局部を覆うように当てた状態で用を足すことができる。このように排尿局部を確実に導尿部６０で覆った状態を保つことができ、片手で使用できて無理な姿勢が不要であるために尿が外部に漏れることはない。また、導尿部６０の内部部分６０ａはフィルムが密着した状態で逆止弁として機能する等の作用効果は、前記第１実施形態と同様である。
【００３１】
（第３実施形態、図９参照）
本発明の第３実施形態である携帯尿袋は、図９に示すように、蓄尿部１００と導尿部１１０とを軟質合成樹脂フィルム１０１にて一体的に形成したもの、即ち、１枚のフィルム１０１を下辺１０１ａで折り畳み、外形線に沿って溶断して製袋したものである。
【００３２】
導尿部１１０は蓄尿部１００の上部中央から突出しており、保形用略筒状体１２０が貼着されている。この筒状体１２０は折れ目１２１が形成されており、その作用効果は前記第１実施形態で示した保形用略筒状体３０と同様である。
【００３３】
（第４実施形態、図１０参照）
本発明の第４実施形態である携帯尿袋は、図１０に示すように、前記第３実施形態である携帯尿袋とほぼ同じ構成からなり、異なるのは、導尿部１１０が蓄尿部１００の上辺一端部から突出している点である。なお、図１０においては図９と同じ部分に同じ符号を付し、重複した説明は省略する。
【００３４】
（第５実施形態、図１１参照）
本発明の第５実施形態である携帯尿袋は、図１１に示すように、前記第３、第４実施形態と同様に、蓄尿部１３０と導尿部１４０とを軟質合成樹脂フィルム１３１にて一体的に形成したもの、即ち、２枚のフィルム１３１を斜線を付した外形部分に沿って熱溶着して製袋したものである。
【００３５】
導尿部１４０は蓄尿部１３０とスリット１３５にて分断されており、保形用略筒状体１５０が貼着されている。この筒状体１５０は折れ目１５１が形成されており、その作用効果は前記第１実施形態で示した保形用略筒状体３０と同様である。
【００３６】
（第６実施形態、図１２，１３参照）
本発明の第６実施形態である携帯尿袋は、図１２に示すように、前記第１実施形態と同様に、蓄尿部１６０と導尿部１７０とをそれぞれ軟質合成樹脂フィルム１６１，１７１にて別体に形成し、導尿部１７０を蓄尿部１６０の上辺部に熱溶着したものである。従って、導尿部１７０を構成する樹脂フィルムの内面には溶着阻害層が形成されている。
【００３７】
導尿部１７０は半円形状に広げられており、導尿部１７０の外周面に貼着された保形用略筒状体１８０も半円形状部分を有している。この半円形状部分は受尿部として機能する、いわば金隠しである。保形用略筒状体１８０の展開形状は図１３に示すとおりであり、折れ目１８１が形成されており、その作用効果は前記第１実施形態で示した保形用略筒状体３０と同様である。
【００３８】
（保形用略筒状体の変形例、図１４参照）
前記各実施形態で示した保形用略筒状体は、紙製の１枚ものではなく、図１４に示すように、中央部分で２枚に分割されており、それぞれを導尿部に貼着してもよい。図１４では第１実施形態に示した筒状体３０の変形例を示しているが、他の筒状体７０，１２０，１５０，１８０にあっても同様に中央部分で２枚に分割することができる。
【００３９】
また、保形用筒状体は紙以外にも種々の材質を使用することができる。例えば、合成樹脂フィルム、包装用袋のヘッダとして一般に用いられている薄い発砲フィルムなどである。この筒状体を導尿部へ付設する方法も、材質に応じて粘着、接着、溶着などが採用される。
【００４０】
（他の実施形態）
なお、本発明に係る携帯尿袋は、前記実施形態に限定するものではなく、その要旨の範囲内で種々に変更することができる。
【００４１】
特に、蓄尿部や導尿部、保形用略筒状体の材質、形状、構成は任意である。また、吸水性高分子粉末は必ずしも粉末状のままで尿袋本体に収容されている必要はなく、水溶性の袋に封入された状態で蓄尿部に収容されていてもよい。
【００４２】
また、本発明に係る携帯尿袋の利用分野であるが、行楽や業務上に携帯する以外にも、老人介護の分野等に幅広く利用することができる。
【図面の簡単な説明】
【図１】本発明の第１実施形態である携帯尿袋を示す正面図。
【図２】図１に示した携帯尿袋を構成する導尿部及び保形用略筒状体を示し、（Ａ）は導尿部の正面図、（Ｂ）は保形用略筒状体の展開図、（Ｃ）は導尿部に保形用略筒状体を貼着した状態を示す正面図、（Ｄ）は（Ｃ）の底面図。
【図３】図１に示した携帯尿袋の使用時の斜視図。
【図４】図１に示した携帯尿袋の折り畳み時の正面図。
【図５】本発明の第２実施形態である携帯尿袋を示す正面図。
【図６】図５に示した携帯尿袋の使用時の斜視図。
【図７】図５に示した携帯尿袋を構成する導尿部及び保形用略筒状体を示し、（Ａ）は保形用略筒状体の正面図、（Ｂ）は導尿部の正面図、（Ｃ）は導尿部の側面図。
【図８】図５に示した携帯尿袋を構成する保形用略筒状体を示し、（Ａ）は保形用略筒状体の展開図、（Ｂ）は保形用略筒状体を拡径した状態を示す平面図。
【図９】本発明の第３実施形態である携帯尿袋を示す正面図。
【図１０】本発明の第４実施形態である携帯尿袋を示す正面図。
【図１１】本発明の第５実施形態である携帯尿袋を示す正面図。
【図１２】本発明の第６実施形態である携帯尿袋を示す正面図。
【図１３】図１２に示した携帯尿袋を構成する保形用略筒状体の展開図。
【図１４】保形用略筒状体の変形例を示す展開図。
【図１５】従来の携帯尿袋の一例を示す斜視図。
【符号の説明】
１０，５０，１００，１３０，１６０…蓄尿部
２０，６０，１１０，１４０，１７０…導尿部
２０ａ，６０ａ…内部部分（逆止弁）
３０，７０，１２０，１５０，１８０…保形用略筒状体
３１，７１，１２１，１５１，１８１…折れ目
４０…吸水性高分子粉末
【図１】
0003544367.tif 000002
【図２】
0003544367.tif 000003
【図３】
0003544367.tif 000004
【図４】
0003544367.tif 000005
【図５】
0003544367.tif 000006
【図６】
0003544367.tif 000007
【図７】
0003544367.tif 000008
【図８】
0003544367.tif 000009
【図９】
0003544367.tif 000010
【図１０】
0003544367.tif 000011
【図１１】
0003544367.tif 000012
【図１２】
0003544367.tif 000013
【図１３】
0003544367.tif 000014
【図１４】
0003544367.tif 000015
【図１５】
0003544367.tif 000016